(57)【要約】      （修正有）【課題】陳列棚の奥部の空きスペースの大きさが変わっても、陳列商品を常に整列化できると共に、陳列商品のボリューム感を演出できる商品陳列トレイを提供する。【解決手段】箱体１２の最後部（Ａ部）が陳列棚の前面縁枠に当接され、引出し体の先端部（Ｂ部）が陳列棚の奥部の壁面に当接された状態で、箱体１２と引出し体が交差する直近位置の衝立ガイド１３ａの溝に衝立１４を挿入して固定する。このようにして、衝立１４が所望の位置の衝立ガイド１３ａの溝に挿入されて固定されることにより、陳列棚の奥行き寸法の大きさに関わらず、箱体１２と引出し体からなる商品陳列トレイ１１は最下段の陳列棚の両端部に自動的に固定される。また、箱体１２の表面全域に陳列された商品は衝立１４より後部には崩れ落ちないので、陳列された商品の整列性は維持される。また、衝立１４の表面を鏡面にすることにより陳列商品のボリューム感を演出できる。【選択図】図３
0003156875.tif 000002
【実用新案登録請求の範囲】
【請求項１】
陳列棚に配置されて、商品の陳列を行う商品陳列トレイであって、
前記商品を陳列するための上面台と背面開口部とを有する箱体と、
前記箱体の前記背面開口部に対して出し入れ自在であって、出し入れ方向の両サイドの側面に沿って所定の間隔で複数の衝立ガイドが付設された引出し体と、
前記箱体と前記引出し体との交差位置又はその近傍にて、前記衝立ガイドの溝に沿って挿入されて立設される衝立とを備えることを特徴とする商品陳列トレイ。
【請求項２】
前記箱体の前端面と前記引出し体の後端面とが、それぞれ、前記陳列棚の対応する前又は後の壁面に当接された位置で、前記箱体と前記引出し体との交差位置又はその近傍に存在する前記衝立ガイドの溝に前記衝立を挿入立設したとき、前記箱体と前記引出し体との相対位置は固定されることを特徴とする請求項１記載の商品陳列トレイ。
【請求項３】
前記衝立は、前記箱体に対向する面が鏡面になっていることを特徴とする請求項１又は２記載の商品陳列トレイ。
【請求項４】
前記箱体及び前記引出し体は、ＡＢＳ樹脂で構成されていることを特徴とする請求項１、２又は３記載の商品陳列トレイ。
【考案の詳細な説明】
【技術分野】
【０００１】
この考案は、スーパーマーケット等に供される商品陳列トレイに係り、特に、商品の陳列棚に並べて用いられる商品陳列トレイに関する。
【背景技術】
【０００２】
従来より、スーパーマーケットやディスカウントショップ等においては、多量の商品が顧客の取扱い易い状態で陳列棚などに陳列されている。このような陳列棚は、例えば５段の陳列棚になっていて、陳列棚の背面側は各段を通して共通に垂直状態の壁面となり、最上段の陳列棚は前側に突き出た棚幅が最も狭く（例えば、棚幅が３００ｍｍ程度であり）、下段に行くに従って陳列棚の棚幅を例えば１００ｍｍ程度ずつ広げ、下段に行くほど陳列棚の棚幅が広くなっている。このようにして下段に行くに従って陳列棚の棚幅を徐々に広げることにより、顧客が各段の陳列棚から所望の商品を取り出し易いように商品陳列を行うことができる。また、陳列棚の商品を取り出したときに後側の商品が前部へ滑り出し易いように、必要に応じて、陳列棚の前端側を下降させるような勾配を設ける場合もある。そして、最下段の陳列棚は、例えば床面から５００ｍｍ程度の高さの前面側に縁枠が設けられ、この縁枠の内側全域が１００ｍｍ程度の凹部となっていて、最上段の陳列棚から最下段の陳列棚の凹部までそれぞれ所望の商品が陳列されている。このような商品の陳列棚は、一般に市販されている多段式陳列棚が用いられ、それぞれのスーパーマーケットにおいて、陳列する商品の種類や商品の購買動向などに応じて陳列棚の段数や各棚間の間隔などを適宜に決定している。さらに、最上段の陳列棚の天井面には顧客が見やすい視角となるようにミラーが配置されていて、陳列された商品数量のボリューム感を演出している。
【０００３】
また、最下段の陳列棚の凹部は、前面の縁枠からの奥行きが例えば８００ｍｍ程度もあるので、最下段の陳列棚の奥部に商品を陳列しても、顧客にとっては、奥部に陳列された商品が見難くかったり、取り出し難いなどの不便さが生じる。そこで、このような不便さを解消するために、奥部を空きスペースとしてダミーを置き、そのダミーより前側の部分に商品陳列トレイを置いて所望の商品を陳列している。図６に示す従来の商品陳列トレイ２０を例に挙げて説明すると、最下段の陳列棚における凹部の前側部分に、例えば、幅３００ｍｍ×奥行き４００ｍｍ×厚さ５０ｍｍ程度の発泡スチロール板２１を幅方向に複数個並べて置き、それぞれの発泡スチロール板２１の表面に、アイボリーなどの明るい表面色であって、一端が直角に５０ｍｍ程度折り曲げられていて前記発泡スチロール板２１と同じ面積のＬ字型樹脂板２２が、発泡スチロール板２１の前端部及び表面部を覆い隠すように載置されて、商品陳列トレイ２０として置かれている。そして、この発泡スチルール板２１とその上に置かれたＬ字型樹脂板２２とで構成された商品陳列トレイ２０の上に所望の商品を陳列している。これによって、最下段の陳列棚における前側の縁枠から４００ｍｍ程度の奥部まで商品が陳列されるので、直前の上段棚の棚幅が最下段に陳列された商品の部分に一部突き出していても、顧客は、最下段の陳列棚の商品陳列トレイ２０に陳列された商品を目視で確認しながら所望の商品を容易に取り出すことができる。
【０００４】
尚、最下段の陳列棚に並べて配置された商品陳列トレイ２０に陳列された商品が、陳列棚の奥部の空きスペースやダミーの部分に転げ落ちて商品の陳列状態が不揃いになるおそれがある場合は、発泡スチルール板２１上のＬ字型樹脂板２２の後端部より数ｍｍ程度手前の部分に、Ｌ字型樹脂板２２の表面から上段側へＬ字状に突き出るような衝立２３を配置する。これにより、商品陳列トレイ２０の前面の縁枠側の端面から衝立２３のＬ字状の端面までのエリアに商品を陳列することにより、陳列された商品が商品陳列トレイ２０より奥部の陳列棚の空きスペースへ転げ落ちるのを防止することができる。このようにして、顧客が最下段の陳列棚の商品陳列トレイ２０に陳列された商品から所望の商品を選択している過程において、陳列された商品が陳列棚の奥部の空間エリアに転げ落ちて商品配列が不揃いになるのを防止している。
【０００５】
また、商品陳列トレイに関する先行技術も種々開示されている。例えば、スーパーマーケットやディスカウントストア等において飲料ボトルや円柱状の商品を多段式に陳列する陳列トレイに関す技術が開示されている（例えば、特許文献１参照）。この技術によれば、顧客が多段式の各陳列棚の最前部にある円筒状の商品を取り出すと、別の円筒状の商品がその陳列棚の最後部に自動的に転がり落ちてきて補充されるので、商品の補充が容易になる共に商品の陳列循環を良好に行わせることができる。また、他の先行技術として、多段式の商品陳列ユニットに関する技術も開示されている（例えば、特許文献２参照）。この技術によれば、各段の商品陳列ユニットの傾斜角度が顧客の視角と一致するように工夫されているので、商品を各段の棚に多段配列してもそれぞれの見本商品が見やすくなり、顧客は所望の商品を該当する棚から容易に選択して取り出して購入することができる。
【先行技術文献】
【特許文献】
【０００６】
【特許文献１】特開２００２−１４２９２５号公報
【特許文献２】特開２００８−３０７２７８号公報
【考案の概要】
【考案が解決しようとする課題】
【０００７】
しかしながら、図５に示したような発泡スチロール板２１とＬ字型樹脂板２２とを用いた商品陳列トレイ２０を陳列棚の最下段の凹部に並べて配列した場合は、発泡スチロールの耐久性が短かったり発泡スチロールに汚れやカビが発生したりするために、発泡スチロールを頻繁に交換しなければならない。すなわち、発泡スチロールを用いた場合は、商品陳列トレイとしては長期の使用には耐えないので、店舗側は商品陳列のメンテナンスを頻繁に行わなければならない。また、多段式陳列棚の種類によっては、最下段の陳列棚における前面の縁枠から奥部の壁面までの奥行き寸法が異なるので、商品陳列トレイ２０の後部の空きスペースの大きさやダミーの配置状態が異なってくる。そのため、顧客が陳列された商品を選択している過程において、商品陳列トレイ２０上の衝立２３や商品が陳列棚の後部の空きスペース側へ移動したりして商品の陳列状態が乱れ、商品陳列の整然性を長時間に亘って維持することができない。このような不具合を回避するためには、商品陳列トレイの後部の空きスペースの大きさに合わせてダミーを追加／削減したりダミーの大きさを変更したりしなければならないため、商品を陳列するたびに商品陳列メンテナンスを行わなければならないので、店舗側における作業効率が極めてよくない。
【０００８】
また、最下段の陳列棚の奥部にミラーを配置している場合は、陳列棚の大きさや種類によって最下段の陳列棚における前面の縁枠から奥部の壁面までの奥行き寸法が異なるため、最下段の陳列棚における奥部の空きスペースやダミーの配置状態が異なってくる。その結果、顧客が陳列商品を選択している過程においてダミー本体が移動してしまい、ダミー本体の前に配置されたミラーが移動したりするおそれがある。このようにしてミラーの反射角度がずれてしまうと、ミラーから反射された陳列商品を顧客の視線に合わせることができなくなり、陳列商品のボリューム感を演出することができなくなってしまう。
【０００９】
すなわち、陳列棚の大きさや種類によって、最下段の商品陳列トレイの奥行き寸法と陳列棚の奥の壁面までのデッドスペース（空間スペース）の寸法との差分が変わってくるので、商品陳列時にダミー本体が移動してしまって商品陳列を整列状態に維持することができない。また、陳列棚の大きさや種類によって、最下段の陳列棚の奥部に存在する空きスペースの大きさが変わってしまうので、その都度、余分な空きスペースを埋めるためにダミーの大きさを変更しなければならない。さらに、陳列棚の大きさや種類によって、空きスペースが大きい場合はダミー本体が動いてしまうので、結果的に、ミラーがずれてしまって商品陳列のボリューム感を演出することができない。
【００１０】
尚、前述の特許文献１に開示された技術は、多段式の商品陳列トレイにおいて商品の補充を容易に行うことができるが、陳列棚の奥部の空きスペースの大きさに対応させて商品陳列を整列状態に維持させる技術に適用することはできない。また、前述の特許文献２に開示された技術についても、多段式の商品陳列ユニットにおいて各段に陳列された商品を顧客が見やすい陳列視角に配置することはできるが、陳列棚の奥部の空きスペースの大きさに対応させて商品陳列を整列状態に維持させる技術に適用することはできない。
【００１１】
この考案は、上述の事情に鑑みてなされたもので、陳列棚の奥部の空きスペースの大きさが変わっても、商品陳列を常に整列化させることができると共にミラーによる商品陳列のボリューム感を演出することができる商品陳列トレイを提供することを目的としている。
【課題を解決するための手段】
【００１２】
上記目的を達成するために、請求項１記載の考案は、陳列棚に配置されて、商品の陳列を行う商品陳列トレイに係り、前記商品を陳列するための上面台と背面開口部とを有する箱体と、前記箱体の前記背面開口部に対して出し入れ自在であって、出し入れ方向の両サイドの側面に沿って所定の間隔で複数の衝立ガイドが付設された引出し体と、前記箱体と前記引出し体との交差位置又はその近傍にて、前記衝立ガイドの溝に沿って挿入されて立設される衝立とを備えることを特徴としている。
【００１３】
なお、必要に応じて、前記箱体又は／及び前記引出し体の底板は省略しても良い。
【００１４】
請求項２記載の考案は、請求項１記載の商品陳列トレイに係り、前記箱体の前端面と前記引出し体の後端面とが、それぞれ、前記陳列棚の対応する前又は後の壁面に当接された位置で、前記箱体と前記引出し体との交差位置又はその近傍に存在する前記衝立ガイドの溝に前記衝立を挿入立設したとき、前記箱体と前記引出し体との相対位置は固定されることを特徴としている。
【００１５】
請求項３記載の考案は、請求項１又は２記載の考案に係り、前記衝立は、前記箱体に対向する面が鏡面になっていることを特徴としている。
【００１６】
この考案の第４の構成は、請求項１、２又は３記載の商品陳列トレイに係り、前記箱体及び前記引出し体が、ＡＢＳ樹脂で構成されていることを特徴としている。
【考案の効果】
【００１７】
この考案の商品陳列トレイによれば、商品の陳列時に陳列棚の奥行き寸法に合わせて商品陳列トレイを伸縮させることにより、商品陳列トレイを陳列棚に容易に固定することができる。また、陳列棚の奥行き寸法の大きさに関わらず、陳列棚の空きスペースを無視して商品の陳列を行うことができる。さらに、陳列棚の奥行き寸法の大きさに関わらず、商品陳列トレイの所定の位置にミラーを整列して配置することができるので、陳列された商品のボリューム感を演出することができる。
【００１８】
さらに、商品陳列トレイはＡＢＳ樹脂で構成されているので、耐久性に優れていると共に、洗浄が可能であるために衛生的であるので食料品などを扱うスーパーマーケットに好適である。また、陳列棚に配列された商品陳列トレイは、幅寸法が例えば３００ｍｍの単体の商品陳列トレイが幅方向に複数個並べて配置されているので、陳列棚の大きさや商品の陳列レイアウトに応じて、陳列された商品のフェース管理を容易に行うことができる。
【図面の簡単な説明】
【００１９】
【図１】この考案を誘導するための前提となる商品陳列トレイの斜視図である。
【図２】この考案の一実施形態に係る商品陳列トレイの斜視図である。
【図３】図２に示す商品陳列トレイに衝立を立てた状態を示す斜視図である。
【図４】図３に示す商品陳列トレイを幅方向に複数個並べて配置した陳列棚を示す斜視図である。
【図５】５段棚で構成された多段式陳列棚の斜視図である。
【図６】従来の商品陳列トレイの斜視図である。
【考案を実施するための形態】
【００２０】
この考案の商品陳列トレイは、陳列棚に配置されて商品の陳列を行う商品陳列トレイであって、表面台に商品を陳列する箱体と、箱体に対して出し入れ自在であって、出し入れ方向の両サイドの側面に沿って所定の間隔で衝立ガイドが付設された引出し体と、箱体と引出し体との交差位置の近傍において、箱体の表面台に対してほぼ直角方向に衝立ガイドの溝に沿って挿入された衝立とを備えることにより、陳列棚の奥部の空きスペースの大きさに関わらず商品陳列を常に整列化させることができると共に、ミラーによる商品陳列のボリューム感を演出させるという目的を実現した。
【実施形態】
【００２１】
以下、図面を参照しながら、この考案に係る商品陳列トレイの好適な実施形態について詳細に説明する。図１は、この考案を誘導するための前提となる商品陳列トレイの斜視図である。すなわち、図１に示すように、商品陳列トレイ１は、金属製又は樹脂製で構成され、６面で形成されて正面の略下半分に矩形の開口部を有する箱体２と、この箱体２の開口部に対して出し入れ自在に配置された金属製又は樹脂製の引出し体３とによって構成されている。箱体２の大きさは、例えば、長さ方向（引出し方向）が４４０ｍｍ、幅方向が３００ｍｍ、厚さが５０ｍｍである。また、箱体２から引出し体３を最大に引き出したときの箱体２と引出し体３との合計の長さは８２０ｍｍである。このように構成された商品陳列トレイ１は、図示しない陳列棚の最下段において幅方向に複数個並べて配置される。尚、引出し体３は、底板を備えていてもよいし、底板がなくてもよい。
【００２２】
すなわち、陳列棚は例えば５段の棚になっていて、陳列棚の背面側は各段を通して共通に垂直状態の壁面となり、最上段の陳列棚は前側に突き出た棚幅が最も狭く（例えば、棚幅が３００ｍｍ程度であり）、下段に行くに従って陳列棚の棚幅を例えば１００ｍｍ程度ずつ広げて下段に行くほど陳列棚の棚幅が広くなっている。このようにして下段に行くに従って陳列棚の棚幅を徐々に広げることにより、顧客が各段の陳列棚から所望の商品を取り出し易いように商品陳列を行うことができる。そして、最下段の陳列棚は、例えば床面から５００ｍｍ程度の高さの前面側に縁枠が設けられ、この縁枠の奥側全域が１００ｍｍ程度の凹部となっていて、最上段の陳列棚から最下段の陳列棚の凹部までそれぞれ所望の商品が陳列できるようになっている。このような商品の陳列棚は、一般に市販されている多段式陳列棚が用いられ、それぞれのスーパーマーケットにおいて、陳列する商品の種類や商品の購買動向などに応じて陳列棚の段数や各棚間の間隔などを適宜に決定している。さらに、最上段の陳列棚の天井面には顧客が見やすい視角となるようにミラーが配置されていて、陳列された商品数量のボリューム感を演出している。
【００２３】
また、最下段の陳列棚の凹部は前面の縁枠からの奥行きが例えば８００ｍｍ程度もあるので、最下段の陳列棚の奥部に商品を陳列しても、顧客にとっては、奥部に陳列された商品が見難くかったり、取り出し難いなどの不便さが生じる。そこで、このような不便さを解消するために、図１に示すような引出し式の商品陳列トレイ１を最下段の陳列棚の前面側に並べて配置する。このとき、商品陳列トレイ１は、最下段の陳列棚の前面縁枠に箱体２の最後部（Ａ部）を突き当てて複数個配列する。
【００２４】
さらに、商品陳列トレイ１の引出し体３を箱体２から所望の長さだけ引き出し、引出し体３の先端部（Ｂ部）を最下段の陳列棚の奥部の壁面に突き当てる。例えば、最下段の陳列棚の奥行きが縁枠から８００ｍｍであれば、箱体２の長さ方向が４４０ｍｍであるので、引出し体３を３６０ｍｍだけ引き出して陳列棚の奥部の壁面に突き当てる。そして、引出し体３の先端部（Ｂ部）が移動しないように、陳列棚の奥部の壁面に対して引出し体３の先端部（Ｂ部）を粘着テープなどで固定する。また、箱体２と引出し体３との境界部分（Ｃ部）には金属製又は樹脂製の衝立（図示せず）を立て、粘着テープなどによってこの衝立を箱体２と引出し体３との境界部分（Ｃ部）に固定する。
【００２５】
このようにして構成された商品陳列トレイ１を最下段の陳列棚の幅方向に複数個配列し、その商品陳列トレイ１の上に所望の商品を陳列する。これにより、陳列棚の種類や大きさが変わって最下段の陳列棚の奥行き寸法が変化しても、引出し体３を引き出す長さを調整することによって、商品陳列トレイ１を最下段の陳列棚に納まり良く配置することができる。しかも、最下段の陳列棚の奥部の空きスペースにダミーを置く必要もなくなる。さらに、商品陳列トレイ１は、箱体２の最後部（Ａ部）から箱体２と引出し体３との境界部分（Ｃ部）に設けた衝立までのエリア（すなわち、箱体２の奥行きの長さ４４０ｍｍまでのエリア）に商品を陳列することができるので、顧客は陳列された商品を容易に目視したり取り出したりすることができる。また、箱体２と引出し体３との境界部分（Ｃ部）の衝立より後側へ商品が崩れ落ちるおそれはないので、顧客が商品を吟味している過程で陳列商品の配列が乱れることもなくなる。このような商品陳列トレイ１を用いることにより、直前の上段棚の棚幅が最下段に陳列された商品の部分に一部突き出していても、顧客は、最下段の陳列棚の商品陳列トレイ１に陳列された商品を目視で確認しながら所望の商品を容易に取り出すことができる。
【００２６】
ところが、図１に示すような商品陳列トレイ１の場合は、最下段の陳列棚の奥行き寸法に合わせて引出し体３を引き出した後に、引出し体３を最下段の陳列棚の奥部の壁面に粘着テープなどで固定しなければならない。また、箱体２と引出し体３との境界部分（Ｃ部）に衝立を立てた後に、粘着テープなどによってその衝立を箱体２に固定しなければならない。そのため、商品陳列時における店舗側の工数負担が大きく、且つ、陳列レイアウトを変更するたびに粘着テープを剥がさなければならないので商品陳列トレイが汚れやすいと共に陳列メンテナスの工数も増加する。
【００２７】
そこで、このような不具合を解消するために、この考案では、図１に示す商品陳列トレイ１のアイデアをベースにして、その商品陳列トレイ１に簡単な機構を追加するだけで箱体２及び引出し体３の固定及び衝立の固定を簡単に行うことができるように改良した。
【００２８】
図２は、この考案の一実施形態に係る商品陳列トレイの斜視図である。図２に示すように、商品陳列トレイ１１は、金属製又は樹脂製で構成され、６面で形成されて正面の略下半分に矩形の開口部を有する箱体１２と、この箱体１２の開口部に対して出し入れ自在に配置された金属製又は樹脂製の引出し体１３とによって構成されている。箱体１２の大きさは、例えば、長さ方向（引出し方向）が４４０ｍｍ、幅方向が３００ｍｍ、厚さが５０ｍｍである。また、箱体１２から引出し体１３を最大に引き出したときの箱体１２と引出し体１３との合計の長さは８２０ｍｍである。また、引出し体１３の長手方向の両サイドには、図示しない衝立を立てて固定するための衝立ガイド１３ａが例えば２−１０ｍｍ間隔で付設されている。このように構成された商品陳列トレイ１１は、図示しない陳列棚の最下段において幅方向に複数個並べて配置される。尚、箱体１２が樹脂製の場合はＡＢＳ（アクリロニトリル−ブタジエン−スチレン）樹脂を用いることが望ましい。尚、引出し体１３は、底板を備えていてもよいし、底板がなくてもよい。
【００２９】
陳列棚は例えば５段の棚になっていて、前述と同様の構成であるので重複する説明は省略する。ここで、商品陳列トレイ１１が収納される最下段の陳列棚の凹部は前面の縁枠からの奥行きが例えば８００ｍｍ程度もあるので、奥部に陳列された商品の見難くさや取り出し難いなどの不便さを解消するために、図２に示すような引出し式の商品陳列トレイ１１を最下段の陳列棚の前面側に並べて配置する。このとき、商品陳列トレイ１１は、最下段の陳列棚の前面の縁枠に箱体１２の最後部（Ａ部）を突き当てて複数個配列する。
【００３０】
さらに、商品陳列トレイ１１の引出し体１３を箱体１２から所望の長さだけ引き出し、引出し体１３の先端部（Ｂ部）を最下段の陳列棚の奥部の壁面に突き当てる。例えば、最下段の陳列棚の奥行きが縁枠から８００ｍｍであれば、箱体２の長さ方向が４４０ｍｍであるので、引出し体３を３６０ｍｍだけ引き出して陳列棚の奥部の壁面に突き当てる。そして、箱体２の最後部（Ａ部）及び引出し体３の先端部（Ｂ部）が陳列棚の両端部で当接された位置において、図示しない衝立を、箱体１２と引出し体１３との交差位置に直近の位置に存在する衝立ガイド１３ａの溝に挿入して、その衝立を固定する。
【００３１】
図３は、図２に示す商品陳列トレイ１１に衝立１４を立てた状態を示す斜視図である。すなわち、図３に示すように、箱体１２の最後部（Ａ部）が陳列棚の前面の縁枠に当接され、引出し体３の先端部（Ｂ部）が陳列棚の奥部の壁面に当接された状態で、箱体１２と引出し体３が交差する直近位置の衝立ガイド１３ａの溝に衝立１４を挿入して固定する。尚、衝立ガイド１３ａのピッチ間隔は例えば１０ｍｍとなっているため、引出し体３の先端部（Ｂ部）と陳列棚の奥部の壁面との間にクリアランス（隙間）が生じた場合はその隙間に対してスペーサを挿入して引出し体３の先端部（Ｂ部）を固定する。
【００３２】
このようにして、衝立１４が所望の位置の衝立ガイド１３ａの溝に挿入されて固定されることにより、陳列棚の奥行き寸法の大きさに関わらず、箱体１２と引出し体３とからなる商品陳列トレイ１１は最下段の陳列棚の両端部に自動的に固定される。そして、商品陳列トレイ１１の表面台において、箱体１２の最後部（Ａ部：つまり、最下段の陳列棚の縁枠に当接する箱体１２の先端部）から衝立１４の位置までのエリアに所望の商品を陳列する。これによって、商品は、顧客が立つ最下段の陳列棚の前面の縁枠から４００ｍｍ奥まで陳列されるので、顧客は商品の確認や取り出しを容易に行うことができる。また、顧客が商品陳列トレイ１１に陳列された商品に触れても、それらの商品の最後部は衝立１４の位置より奥へすべり落ちるおそれはないので、商品陳列の整列状態を維持することができる。
【００３３】
さらに、衝立１４にミラーを用いれば、商品陳列トレイ１１に陳列された商品を顧客側に反射させて、陳列商品のボリューム感を演出することができる。尚、最下段の陳列棚は床面から５００ｍｍ程度の高さであるので、最下段の陳列棚に配置された商品陳列トレイ１１の奥部にミラーを配置した場合は、顧客が腰をかがめなければミラーに移った商品を見ることができないので、陳列商品のボリューム感を演出する効果は限定的である。尚、衝立１４として用いるミラーは、ガラス製に限ることはなく、良好な鏡面が得られるように表面が研磨された金属板等であっても構わない。
【００３４】
図４は、図３に示す商品陳列トレイ１１を幅方向に複数個並べて配置した陳列棚を示す斜視図である。すなわち、図４は、図３に示すような商品陳列トレイ１１を幅方向に複数個並べて商品陳列棚１５の例えば最下段に配置し、最下段の商品陳列棚１５の奥行き寸法に合わせて引出し体１３の引き出し長さを調整した状態を示している。このとき、引出し体１３の引き出し長さが調整された位置において、箱体１２と引出し体１３との境界位置に最も近い位置に存在する衝立ガイド１３ａに衝立１４を立てることにより、並べて配置されたそれぞれの商品陳列トレイ１１は自動的に商品陳列棚１５の前端部の縁枠１５ａとに後端部の壁面１５ｂとで狭持されて固定される。このようにして商品陳列棚１５の幅方向に並べられた複数の商品陳列トレイ１１の上に所望の商品１６を陳列すれば、陳列された商品１６は、衝立１４より後部に崩れ落ちることなく整列状態が維持される。
【００３５】
図５は、５段棚で構成された多段式陳列棚の斜視図である。図５に示すように、５段棚で構成された多段式陳列棚４は、最上段棚５、２段目棚６、３段目棚７、４段目棚８、及び最下段棚９で構成されていて、下段に行くに従って棚幅が広くなっている。したがって、通常は、顧客側の商品選択の利便性を考えて、棚幅が最も広い最下段棚９に商品陳列トレイ１１が並列に配置される。
【００３６】
以上説明したように、この考案の商品陳列トレイによれば、商品の陳列時に陳列棚の奥行き寸法に合わせて、箱体と引出し体とからなる商品陳列トレイを伸縮させることにより、商品陳列トレイを陳列棚に容易に固定することができる。また、陳列棚の奥行き寸法の大きさに関わらず、陳列棚の空きスペースを無視して商品の陳列を行うことができる。さらに、陳列棚の奥行き寸法の大きさに関わらず、商品陳列トレイの所定の位置にミラーを整列して配置することができるので、陳列された商品のボリューム感を演出することができる。
【００３７】
さらに、商品陳列トレイはＡＢＳ樹脂で構成されているので、耐久性に優れていると共に、洗浄が可能であるために衛生的であるので食料品などを扱うスーパーマーケットに好適である。また、陳列棚に配列された商品陳列トレイは、幅寸法が例えば３００ｍｍの単体の商品陳列トレイが幅方向に複数個並べて構成されているので、陳列棚の大きさや商品の陳列レイアウトの応じて、陳列された商品のフェース管理を行うことができる。
【００３８】
以上、この考案の実施形態について図面を参照しながら詳述してきたが、この考案の具体的な構成は、これらの実施形態に限られるものではなく、この考案の趣旨を逸脱しない範囲の設計の変更等があってもそれらはこの考案に含まれる。例えば、上記の実施形態では、多段式の陳列棚の最下段に商品陳列トレイを配列した場合について説明したが、それより上段の陳列棚にこの考案の商品陳列トレイを配列しても上記の実施形態と同様の作用効果が得られることは云うまでもない。
【００３９】
例えば、３段目の陳列棚の奥行き寸法が６００ｍｍの場合は、４４０ｍｍの長さの箱体に対して引出し体を１６０ｍｍだけ引き出す。そして、箱体と引出し体が、それぞれ、３段目に陳列棚の対応する端面に当接した後に、箱体と引出し体とが交差する直近位置の衝立ガイドに衝立を立てる。これによって、箱体と引出し体とからなる商品陳列トレイは３段目に陳列棚に確実に固定されるので、商品陳列トレイの衝立より手前側に所望の商品を整列状態で陳列することができる。しかも、衝立の前面側が鏡面になっていれば、３段目に陳列された商品のボリューム感を演出することもできる。
【産業上の利用可能性】
【００４０】
この考案の商品陳列トレイは、スーパーマーケット等の食料品系統の店舗に限らず、多段式の陳列棚を利用する工場や事務所の資材施設や在庫管理施設などに有効に利用することができる。
【符号の説明】
【００４１】
１、１１、２０  商品陳列トレイ
２、１２  箱体
３、１３  引出し体
４  多段式陳列棚
５  最上段棚
６  ２段目棚
７  ３段目棚
８  ４段目棚
９  最下段棚
１３ａ  衝立ガイド
１４、２３  衝立
１５  陳列棚
１５ａ  縁枠
１５ｂ  壁面
１６  商品
２１  発泡スチロール板
２２  Ｌ字型樹脂板
【図１】
0003156875.tif 000003
【図２】
0003156875.tif 000004
【図３】
0003156875.tif 000005
【図４】
0003156875.tif 000006
【図５】
0003156875.tif 000007
【図６】
0003156875.tif 000008